(57)【要約】【課題】より信頼性の高い水中植物の育成用照明装置を提供すること。【解決手段】流れる電流に基づいて光を発光するＬＥＤ素子２６２を複数個直列に接続して構成するＬＥＤ群と上記ＬＥＤ群に発光のための電流を供給する駆動回路とを備えた回路基板と、樹脂製のケースを備え、上記樹脂製のケース内に上記回路基板を収納し、上記樹脂製のケース内をさらに絶縁性樹脂で充填した、ことを特徴とする水中植物の育成用照明装置。【選択図】図４
2020018178.tif 000002
【特許請求の範囲】
【請求項１】
流れる電流に基づいて光を発光するＬＥＤ素子２６２を複数個直列に接続して構成するＬＥＤ群と上記ＬＥＤ群に発光のための電流を供給する駆動回路とを備えた回路基板と、
樹脂製のケースを備え、
上記樹脂製のケース内に上記回路基板を収納し、上記樹脂製のケース内をさらに絶縁性樹脂で充填した、ことを特徴とする水中植物の育成用照明装置。
【請求項２】
請求項１に記載の水中植物の育成用照明装置を複数個水中に吊り下げ、タイマーにより上記水中植物の育成用照明装置を点灯させるようにしたことを特徴とする水中植物の育成用照明装置を用いた水中植物の育成装置。
【発明の詳細な説明】
【技術分野】
【０００１】
本発明は、水中において植物の成長を促す育成用照明装置および水中植物の育成装置に関する。
【背景技術】
【０００２】
水中、特に海水中に生育する植物を成長させることは、水中に生息する生物の繁殖に大きな効果をもたらす。例えば上記水中の植物を餌として成長する貝や蟹の繁殖が活発となり、その生殖数を増やすことができる。それに伴い、それらを餌とするより大きな魚の繁殖を活発にすることができる。結果海を豊かにすることができる。上記法則は海にとどまらず、川や湖に対しても適応できる。
【０００３】
上記観点から、水中の直物を生育するのに適した照明装置が望まれており、また海水等を含めた水中植物の育成をより活発化できる上記照明装置を利用した水中植物の育成装置が望まれている。
【０００４】
水底の水生植物の種子の発芽を活性化させ、水生植物を成長させる技術が公開公報特開２０１７−９９３０２号公報に開示されている。
【先行技術文献】
【特許文献】
【０００５】
特開２０１７−９９３０２号公報
【発明の概要】
【発明が解決しようとする課題】
【０００６】
水中、特に海水中においては、水深の深い場所にも海藻が繁殖しており、水圧に耐えられる水中植物育成用照明装置が望ましい。水、特に海水は、天候により流れが変化したり、流速が早くなったり、さらには渦ができたりする。このため上記水中植物育成用照明装置に加わる圧力は均一ではなく、圧力が部分的に集中することが考えられる。水圧の変化に対してより信頼性の高い水中植物育成用照明装置が求められる。
【０００７】
本発明の目的は、より水深の深い場所でも使用可能なより信頼性の高い水中植物育成用照明装置を提供することである。
【０００８】
本発明の他の目的は、より水深の深い場所での水中植物の育成に適した水中植物の育成装置を提供することである。
【課題を解決するための手段】
【０００９】
上記課題を解決する第１の発明の水中植物の育成用照明装置は、流れる電流に基づいて光を発光するＬＥＤ素子２６２を複数個直列に接続して構成するＬＥＤ群と上記ＬＥＤ群に発光のための電流を供給する駆動回路とを備えた回路基板と、樹脂製のケースを備え、上記樹脂製のケース内に上記回路基板を収納し、上記樹脂製のケース内をさらに絶縁性樹脂で充填した、ことを特徴とする。
第２の発明の水中植物の育成用照明装置を用いた水中植物の育成装置は、第１の発明の水中植物の育成用照明装置を複数個水中に吊り下げ、タイマーにより上記水中植物の育成用照明装置を点灯させるようにしたことを特徴とする水中植物の育成用照明装置を用いた水中植物の育成装置。
【発明の効果】
【００１０】
本発明によれば、より水深の深い場所でも使用可能なより信頼性の高い水中植物育成用照明装置を得ることができる。
【００１１】
本発明によれば、より水深の深い場所での水中植物の育成に適した水中植物の育成装置を得ることができる。
【図面の簡単な説明】
【００１２】
【図１】本発明の一実施形態である、水中植物の育成装置の正面図である。
【図２】図１に記載の水中植物の育成装置の水中の構成を説明する説明図である。
【図３】図１に記載の水中植物の育成装置の照明装置の状態を説明する説明図である。
【図４】水中植物の育成装置の照明装置の構成を説明する断面図である。
【図５】水中植物の育成装置の照明装置の電気回路の構成を説明する説明図である。
【図６】水中植物の育成装置の照明装置の回路基板の裏面を説明する説明図である。
【図７】水中植物の育成装置の照明装置の回路基板の表面を説明する説明図である。
【図８】水中植物の育成装置の照明装置のＬＥＤ群を流れる電流波形を説明する説明図である。
【図９】図４に記載の水中植物の育成装置の照明装置の他の実施形態を説明する説明図である。
【図１０】図１に記載の水中植物の育成装置の他の実施形態を説明する説明図である。
【図１１】照明装置の基板の表面を説明する説明図である。
【図１２】照明装置の構成を説明する断面図である。
【図１３】直流電源でＬＥＤ群を駆動するための電気回路を説明する説明図である。
【発明を実施するための形態】
【００１３】
図１は、本発明が適用された水中植物の育成装置の一部であり、該水中植物の育成装置を上から見た図である。図示するいかだ１２は１つであっても良いし、複数個あっても良い。本実施形態では一例として、いかだ１２やいかだ１４、いかだ１６、いかだ１８を有している。各いかだ１２から１８には太陽光発電装置４０が設けられており、上方向からの太陽光を受けて、電力を発生する。発生した電力は小型いかだ２２や小型いかだ２４にそれぞれ設けられた蓄電装置４２や蓄電装置４４に蓄えられる。なお、蓄電装置４２や蓄電装置４４は、いかだ１２からいかだ１８のいずれかあるいは全部に設けても良い。また小型いかだ２２や小型いかだ２４を、いかだ１２からいかだ１８のそれぞれと同じ大きさにしても良い。
【００１４】
本実施形態では、太陽光発電装置４０で発生した電力を使用することができるが、商用の交流電源から交流電力が電力供給ライン５２を介して水中植物の育成装置に供給されており、商用の交流電源からの交流電力を使用することができる。
【００１５】
いかだ１２といかだ１６あるいはいかだ１４といかだ１８は、複数の連結器３０で繋がっている。また小型いかだ２２といかだ１２、あるいは小型いかだ２２といかだ１４、小型いかだ２２と小型いかだ２４との連結は、それぞれ複数の連結器３２によって行われる。連結器３０や連結器３２は、結合する両側のいかだとの角度が自由に変わるので、海面の波による前記両側のいかだの高さ関係の変化を吸収することができる。このため海面の高さが変化しても、両いかだに対する海面の高さの違いが吸収され、該海面の高さの違いに起因する大きな力が、いかだや連結器に加わるのを低減することができる。
【００１６】
図１に記載のいかだ１２からいかだ１８は同じ構成であり、また搭載している太陽光発電装置４０は同じ構成であるので、これらを代表していかだ１２について図２において具体的に説明する。また川や沼、湖において本実施例の水中植物を育成するための照明装置および該照明装置は利用可能であるが、代表例して海での利用を例として説明する。
【００１７】
海水面１０にいかだ１２が浮かんでおり、いかだ１２の上面には支持柱３６によりいかだ１２に固定された太陽光発電装置４０が設けられている。またいかだ１２の下面には、ロープ１０２が複数個吊り下げられており、各ロープ１０２の下端には錘１０４が取り付けられている。さらに各１０２には、下側照明装置１２２と上側照明装置１２４が取り付けられている。海底には海藻７０の付着器が張り付くための人口岩６２が置かれている。本実施例形態は太陽光発電装置４０が水面１０に対して平行のため、風の影響が少なく、波に対しても安定している。
【００１８】
下側照明装置１２２は海藻７０の茎状部７２や付着器を照らす働きをし、海藻７０の成長を促す作用をする。下側照明装置１２２により、海藻７０の茎状部７２が太くなったり、発芽が活発になったり、葉状部７４が大きくなったり、葉状部７４が厚くなったりする。また上側照明装置１２４は海藻７０の葉状部７４を側面からあるいは上面から照射する働きをし、光合成作用を活発にする働きをする。海藻７０が成長し、またその株が増えていくためには、光合成作用を活発にすることにより、栄養を多く蓄えさせることが必要である。しかしそれだけでは不十分であり、海藻７０の生長を促し、発芽を促進し、その繁殖を活性化するホルモンの生成をより活発化させ、活性化させることも有効である。下側照明装置１２２はこのようなホルモンの生成を活性化する作用をする。もちろん付着器付近の茎状部７２等においても、下側照明装置１２２の発光により光合成作用が行われ、デンプン等の栄養源が生成される作用も行われる。
【００１９】
図２において、下側照明装置１２２や上側照明装置１２４は、海の深さ方向である図２の縦長方向に配置されている。この配置により錘１０４の荷重が作用する方向と一致するので、取り付けが容易である。さらに上下方向の振動が少なくなるので、耐久性において横方向配置より優れている。海藻７０の茎状部７２に沿って照射でき、各海藻において照射できる表面積が大きくなる。
【００２０】
上側照明装置１２４を海の深さ方向である図２の縦長方向に配置されている。この配置により錘１０４の荷重が作用する方向と一致するので、取り付けが容易である。さらに上下方向の振動が少なくなるので、耐久性において横方向配置より優れている。さらに海藻７０の葉状部７４の軸長方向に沿って照射でき、照射できる表面積が大きくなる。また海藻７０の成長にむらがあっても、あるいは成長に伴って背丈が変化しても、横方向配置より、各海藻７０に対して照射部分を大きくすることができる。
【００２１】
下側照明装置１２２や上側照明装置１２４は、ＬＥＤ素子を使用しており、基板の表面にＬＥＤ素子を配置すると、ＬＥＤ素子を配置した面（以下表面と記す）から光が照射されるが、その背面からは光を照射できない。図２に記載の下側照明装置１２２や上側照明装置１２４では２個あるいは３個の照明装置を、上記表面が外側になるように組み合わせて配置している。このようにすることで、下側照明装置１２２や上側照明装置１２４の長軸に垂直な方向に対しては、全ての方向に光が照射されるようにしている。
【００２２】
育成対象とする海藻には多くの種類があり、該海藻が吸収する光の色温度も異なる。このため下側照明装置１２２や上側照明装置１２４は幅広い波長の光を含んでおり、例えば色温度で３５００Ｋから９０００Ｋの範囲の光を発生することができ。見た目では白色の光を照射する。即ち中心的な色温度は約５０００Ｋである。
【００２３】
海面から入り込んだ太陽光が海水内を進むにつれて長い波長の成分から順に吸収される。例えば赤色成分は数メートル程度しか届かない。橙色、黄色、緑色と、波長が短くなるにしたがって減衰率が小さくなり、遠くまで届くようになる。青色や紫色は更に遠くまで届く。このため浅い場所に生息する海藻と深い場所に生息する海藻では、利用する光の波長が異なる。本実施例のＬＥＤ素子は広範囲の波長の光を発生する。発生する光の中心的な色温度は５０００Ｋから５４００Ｋ程度である。このことにより、浅瀬の海藻から水深２０ｍあるいは３０ｍの比較的深い水深に生育する海藻まで、幅広く対応することができる。
【００２４】
図３は、下側照明装置１２２を、錘で吊り下げたロープ１０２の周囲に固定した状態を示す。各下側照明装置１２２は約１２０度の広がりの光を照射するので、ロープ１０２の長手方向に垂直な面に対して、全域に渡って光を照射することができる。ロープ１０２に対して２個の下側照明装置１２２を背中合わせに配置しても、ロープ１０２の長手方向に垂直な面に対して、略全域に渡って光を照射することができる。この図で人口岩６２や人口岩６４は、海藻を定着し生育させるために海底に配置した人工石である。
【００２５】
図３では、下側照明装置１２２や上側照明装置１２４に対する説明を代表して、下側照明装置１２２の場合について説明したが、上側照明装置１２４についても同様である。
【００２６】
図４は、下側照明装置１２２や上側照明装置１２４の断面図である。下側照明装置１２２も上側照明装置１２４も同じ構造および同じ作用、同じ効果であり、代表して下側照明装置１２２で以下説明する。樹脂製のケース２０２内には回路基板２１２か設けられている。上記回路基板２１２には、一方の面に複数個のＬＥＤ素子２６２が設けられ、他方の面に上記ＬＥＤ素子２６２を点灯させるための駆動回路２４０が備えられている。
【００２７】
樹脂製のケース２０２はポリカーボネートで作られており、ポリカーボネートは、プラスチック素材の中で非常に耐衝撃性に優れている。またこの実施形態では、樹脂製のケース２０２は断面が円筒形であり、耐衝撃性に優れた形状をしている。樹脂製のケース２０２は光を透過させる色をしており、例えば無色透明あるいはそれに近い色である。樹脂製のケース２０２の両端は樹脂製の蓋２０４と樹脂製の蓋２０６で密閉されている。
【００２８】
樹脂製のケース２０２内部を完全な防水構造にすることが望ましく、絶縁性樹脂２０８を充填し、固めている。絶縁性樹脂２０８は例えばポッティング剤であり、例えば信越化学工業株式会社の製品である透明ゴムである。製品名としては例えばＫＥ１０３である。
【００２９】
図５は、上側照明装置１２４および下側照明装置１２２を含む、電気回路を示す回路図である。電源電圧１００Ｖあるいは電源電圧２００Ｖの交流電源４８から図１に記載の電力供給ライン５２を介して、交流電力が送られてくる。送られてきた電力は、上側照明装置１２４や下側照明装置１２２の点灯および消灯を制御するタイマー５４に供給される。タイマー５４は上側照明装置１２４や下側照明装置１２２の点灯開始時間になると、電力供給ライン５２から供給された電力を電力供給ライン５６や電力供給ライン５８を介して、上側照明装置１２４や下側照明装置１２２へ供給する。上側照明装置１２４や下側照明装置１２２は電力が供給されると、点灯し光を照射する。
【００３０】
上側照明装置１２４や下側照明装置１２２の消灯時間になると、タイマー５４は電力供給ライン５６や電力供給ライン５８への電力の供給を停止する。上側照明装置１２４や下側照明装置１２２は電力の供給が停止すると、光照射動作を停止する。即ち消灯する。タイマー５４は一般に市販されているタイマ−であり、電力の供給を開始する時間と電力の供給を停止する時間を設定できる機能を備えており、電力供給開始時間から電力供給停止時間までの間、電力を供給し続ける。
【００３１】
上側照明装置１２４と下側照明装置１２２は、同じ構成であり、それぞれタイマー５４の出力端に対して並列接続されている。例えば図２に記載のいかだ１２から吊り下げされている全てのロープ１０２に固定された上側照明装置１２４および下側照明装置１２２は、全て並列接続の状態で、タイマー５４の出力端に接続されている。このため点灯開始時間には、タイマー５４から電力が、並列接続されている図２に記載の全ての上側照明装置１２４や下側照明装置１２２に供給され、これらの照明装置が全て一斉に点灯する。一方タイマー５４からの電力が停止されると、これらの照明装置が全て一斉に消灯する。
【００３２】
上側照明装置１２４や下側照明装置１２２は、駆動回路２４０と複数のＬＥＤ素子２６２が直列接続されたＬＥＤ群２６０を有している。駆動回路２４０は、ＬＥＤ群２６０を流れる電流値を制御し設定するコンデンサ２４２と、制御された交流電流を整流して脈流をＬＥＤ群２６０へ供給する整流器２４６を備えている。コンデンサ２４２容量を大きくするとＬＥＤ群２６０を流れる電流は増大し、ＬＥＤ群２６０からの発光量が増大する。しかしＬＥＤ群２６０の定格電流値以下にＬＥＤ群２６０を流れる電流値を抑えることが必要であり、適切なコンデンサ２４２の容量が設定される。抵抗２４４はコンデンサ２４２に蓄えられた電荷を放電させるために設けられている。タイマー５４からの電力供給が停止すると、安全性の観点からコンデンサ２４２に蓄えられている電荷が抵抗２４４を介して放電する。
【００３３】
駆動回路２４０の整流器２４６から出力電流が、接続端２５０と接続端２５１を介してＬＥＤ群２６０に供給される。ＬＥＤ群２６０は回路基板２１２の一方の面に設けられ、駆動回路２４０は回路基板２１２の他方の面に設けられ、一方の面と他方の面との電気的な接続が二つの接続端２５０と続端２５１を介して行われる。整流器２４６の一方出力端は出力ライン２４８を介して接続端２５０に接続されている。また整流器２４６の他方の出力端は出力ライン２４９を介して接続端２５１に接続されている。このため整流器２４６からの出力電流は出力ライン２４８と接続端２５０を介してＬＥＤライン２７２に流れ、直列接続された各ＬＥＤ素子２６２を流れて、接続端２５１と出力ライン２４９を介して、整流器２４６に戻る回路を流れる。
【００３４】
図６は、回路基板２１２の他の面を示しており、電力供給ライン５６を介して図５に記載のタイマー５４から供給された交流電力は回路基板２１２長手方向に形成された電源ライン４８と電源ライン５１を介して電力供給ライン５８に導かれ、並列接続されている他の下側照明装置１２２あるいは上側照明装置１２４に電力が供給される。回路基板２１２の他方の面に接続された駆動回路２４０は電源ライン５０と電源ライン５１から電力の供給を受け、駆動回路２４０の内部の整流器２４６から出力ライン２４８を介して接続端２５０と接続端２５１とに接続されたＬＥＤ群２６０へ電流を供給し、上記電流は接続端２５１と出力ライン２４９を介して再び駆動回路２４０の内部の整流器２４６に戻る。
【００３５】
図７は、回路基板２１２の一方の面を示しており、接続端２５０と接続端２５１との間に設けられたＬＥＤライン２７２に沿ってＬＥＤ素子２６２が多数直列接続されている。図８は、直列接続されているＬＥＤ素子２６２の数とＬＥＤ電流の波形との関係を示す。ＬＥＤ素子２６２を５個直列接続したときにＬＥＤ群２６０を流れるＬＥＤ電流の波形を５段ＬＥＤ電流として示し、ＬＥＤ素子２６２を１５個直列接続したときにＬＥＤ群２６０を流れるＬＥＤ電流の波形を１５段ＬＥＤ電流として示し、ＬＥＤ素子２６２を２５個直列接続したときにＬＥＤ群２６０を流れるＬＥＤ電流の波形を２５段ＬＥＤ電流として示し、ＬＥＤ素子２６２を３５個直列接続したときにＬＥＤ群２６０を流れるＬＥＤ電流の波形を３５段ＬＥＤ電流として示している。
【００３６】
それぞれのＬＥＤ電流には電流が流れない期間がある。ＬＥＤ素子２６２を５個直列接続したときにＬＥＤ群２６０を流れる５段ＬＥＤ電流の電流が流れない期間を期間Ｓ１で示す。ＬＥＤ素子２６２を１５個直列接続したときにＬＥＤ群２６０を流れる１５段ＬＥＤ電流の電流が流れない期間を期間Ｓ２で示す。ＬＥＤ素子２６２を２５個直列接続したときにＬＥＤ群２６０を流れる２５段ＬＥＤ電流の電流が流れない期間を期間Ｓ３で示す。ＬＥＤ素子２６２を３５個直列接続したときにＬＥＤ群２６０を流れる３５段ＬＥＤ電流の電流が流れない期間を期間Ｓ４で示す。期間Ｓ１から期間Ｓ４では電流が流れないために、ＬＥＤ群２６０は消灯する。直列接続するＬＥＤ素子２６２の数すなわちＬＥＤ素子２６２の段数を多くするほどＬＥＤ群２６０の消灯時間が長くなる。
【００３７】
ＬＥＤ群２６０には図８に示す波形の電流が流れ、ＬＥＤ群２６０は段数に対応した消灯時間で、点滅を繰り返す。この点滅が海藻により効果的な刺激を与え、生育を促進する。
【００３８】
図９は樹脂製のケース２０２の長軸に垂直な面の断面図を示す。この断面図は、樹脂製のケース２０２の長軸に垂直な面の全体に対して、すなわち上記垂直面において３６０度全体に光を照射可能にした照明装置の構成を示す。樹脂製のケース２０２の内部に、２枚の回路基板２１２をそれぞれの他方の面が背中合わせとなるように配置して収納している。即ちＬＥＤ素子２６２を配置した一方の面が互いに外側を向くように２枚の回路基板２１２を配置している。２枚の回路基板２１２の内側には、それぞれの回路基板２１２に設けられたＬＥＤ素子２６２を有するＬＥＤ群２６０を駆動するための駆動回路２４０が設けられている。樹脂製のケース２０２内部の空間は、上述した絶縁性樹脂２０８を充填して固めている。
【００３９】
図２や図３に記載の実施例では、１個の照明装置では照射できない角度が生じたが、図９の構造とすることで１個の下側照明装置１２２や上側照明装置１２４で、全領域を照射できる。
【００４０】
図２では、いかだ１２に下側照明装置１２２や上側照明装置１２４を吊り下げる方法を示したが、より簡単な方法を図１０に示す。海水面１０にいかだ１２の代わりに浮３００や浮３０１を浮かべ、浮３００と浮３０１との間にロープ３１２をつなぎ、ロープ３１２から下側照明装置１２２や上側照明装置１２４、照明装置３２４を吊り下げている。照明装置３２４は上から下向きに照射する照明装置であり、電気回路は下側照明装置１２２や上側照明装置１２４とほぼ同じであるが、形状が異なっている。
【００４１】
照明装置３２４の回路基板２１２の一例を図１１に示す。図１１には図示されていないが、回路基板２１２の他方の面に駆動回路２４０が設けられていて、回路基板２１２の一方の面に図１１に記載の如く、直列に接続された複数個、特に本実施例では多数のＬＥＤ素子２６２がＬＥＤライン２７２に沿って設けられている。上記駆動回路２４０からの電流は、図５を用いて説明したとおり、回路基板２１２の一方の面と他方の面とを貫通する接続端２５０と接続端２５１とを介して、回路基板２１２の一方の面に設けられたＬＥＤ群２６０を構成する全ＬＥＤ素子２６２に供給される。図１１ではＬＥＤ群２６０を構成する２６２は円を描くように配置されている。
【００４２】
このように配置することにより、ＬＥＤ素子２６２を集中させることが可能となり、上記全ＬＥＤ素子２６２の外側にレンズを設けることができる。各ＬＥＤ素子２６２にもそれぞれレンズが設けられているが、全ＬＥＤ素子２６２の外側にさらにレンズを設けることにより、遠くまで光を届かすことができる。
【００４３】
図１２は、照明装置３２４の構造を示す断面図である。エポキシ樹脂等で形成された樹脂製のケース２０２の内側に回路基板２１２が設けられている。回路基板２１２の一方の面にはＬＥＤ群２６０を構成するＬＥＤ素子２６２が複数あるいは多数設けられており、回路基板２１２の他方の面には駆動回路２４０が設けられている。透明な絶縁性樹脂２０８は透明な樹脂であり、図4の絶縁性樹脂２０８と同一の樹脂である。樹脂製のケース２０２を直接吊り下げ用のロープ３０２に固定しても良いし、補強のための第２のケース３２６をその外側に設けても良い。この実施形態では、固定具３０４と樹脂製のケース２０２とを接着し、さらに第２のケース３２６の内側と樹脂製のケース２０２の外側との間の空間を透明な絶縁性樹脂２０８で充填し固定しているので、固定具３０４と樹脂製のケース２０２の固定がより強固になる。レンズ３４０が樹脂製のケース２０２の外側に設けられている。レンズ３４０を設けることにより、ＬＥＤ群２６０からの照射光を遠くまで届くようにしたり、あるいは広範囲に広がるようにしたりすることができる。
【００４４】
レンズ３４０は、樹脂製のケース２０２の外側に設けても良いが、樹脂製のケース２０２の内側とＬＥＤ群２６０を構成するＬＥＤ素子２６２の間に設けても良い。
【００４５】
図３は、ＬＥＤ群２６０を直流電力で駆動する回路を示す。蓄電装置４２からタイマー５４に直流電力が供給されており、ＬＥＤ群２６０の点灯開始時間になるとタイマー５４から駆動回路４５４に直流電力が供給される。駆動回路４５４のスイッチ４０２は、遅い周期で開閉動作を繰り返す。例えば１秒間に５０回から２０００回の間の回数で、開閉動作を繰り返す。
【００４６】
スイッチ４０２が閉じるときは、スイッチ４１２が開状態、スイッチ４０４が閉状態となる。スイッチ４０２の閉状態により、タイマー５４の出力端に対してコンデンサ４２２とコンデンサ４２４が並列接続となり、それぞれ充電される。次にスイッチ４０２とスイッチ４０４を開き、スイッチ４１２を閉じると、コンデンサ４２２とコンデンサ４２４が直列接続状態となり、コンデンサ４２２とコンデンサ４２４の端子電圧の加算された電圧で、コンデンサ４３０が充電される。スイッチ４０２を閉じたままにしても良い。コンデンサ４３０に蓄えられた電荷は、接続端２５０と接続端２５１を介してＬＥＤ群２６０に電流を供給する。コンデンサ４２２やコンデンサ４２４からの電流の供給を押さえることで、ＬＥＤ群２６０を流れる電流を脈流とすることができる。ＬＥＤ群２６０に脈流を供給することにより、ＬＥＤ群２６０は周期的に点灯を繰り返す。
【００４７】
スイッチ４０２を閉じた状態に維持した場合には、コンデンサ４２２を取り除いても良い。この場合は蓄電装置４２とコンデンサ４２４とが直列接続された電圧がコンデンサ４３０に供給される。ＬＥＤ素子２６２の直列接続の数が少ない場合には。ＬＥＤ群２６０が点灯し続けることになる。またこの場合に２６０を流れる電流が増加し、ＬＥＤ素子２６２の定格電流を超える恐れがある。その場合には、直列に抵抗を設けるなどにより、ＬＥＤ群２６０の電流を押さえることができる。スイッチ４０２を周期的に開閉することにより、ＬＥＤ群２６０を流れる電流を定格値以下に低減でき、さらにＬＥＤ群２６０周期的に点滅させることができる。抵抗を用いない方が消費電力の低減の点で優れている。
【００４８】
図１３で、抵抗４３２はコンデンサ４３０に蓄えられた電荷を放電させると共に、コンデンサ４２２やコンデンサ４２４の電荷も放電させることができ、安全性の面で効果を有する。
【符号の説明】
【００４９】
１２・・・いかだ、１４・・・いかだ、１６・・・いかだ、１８・・・いかだ、４０・・・太陽光発電装置、４２・・・蓄電装置、４８・・・交流電源、５０・・・電源ライン、５１・・・電源ライン、５２・・・電力供給ライン、５６・・・電力供給ライン、５８・・・電力供給ライン、６２・・・人口岩、７０・・・海藻、７２・・・茎状部、７４・・・葉状部、１０２・・・ロープ、１０４・・・錘、１２２・・・下側照明装置、１２４・・・上側照明装置、２０２・・・樹脂製のケース、２０８・・・絶縁性樹脂、２１２・・・回路基板、２４０・・・駆動回路、２５０・・・接続端、２５１・・・接続端、２６０・・・ＬＥＤ群、２６２・・・ＬＥＤ素子、３００・・・浮、３０１・・・浮、３０２・・・ロープ、３２４・・・照明装置、３４０・・・レンズ。
【図１】
2020018178.tif 000003
【図２】
2020018178.tif 000004
【図３】
2020018178.tif 000005
【図４】
2020018178.tif 000006
【図５】
2020018178.tif 000007
【図６】
2020018178.tif 000008
【図７】
2020018178.tif 000009
【図８】
2020018178.tif 000010
【図９】
2020018178.tif 000011
【図１０】
2020018178.tif 000012
【図１１】
2020018178.tif 000013
【図１２】
2020018178.tif 000014
【図１３】
2020018178.tif 000015